(57)【要約】【課題】  現在この種の扁平型振動発生モータは、扇状の空心コイルと板状で非円形の円盤を取り付けて回転子とし、板状の永久磁石をケース体の厚み方向に配置しているため、形状が大となり、高価となっている。【解決手段】  底浅で底が円状の容器のケース体基部の内部底面に回転子が軸として回転する為の回転軸を設け、ケース体基部の内側側壁面に、隣接した磁極が交互に異なる６分割着磁した環状の永久磁石を配置し、回転子に設けた金属枠体と金属体の取り付け角を約１００度として永久磁石の環内に収まる長さとし、金属枠体側にコイル７を巻き回し、金属枠体と金属体の中心部には、磁性体覆部を設け、更にその中心には回転軸挿入孔を設けて、この回転軸挿入孔を囲むように６枚の接触端子板６ｅを配置し、更に１枚おきに交互に接続した２組の接触端子板にコイルの両端を接続する。コイルに直流電圧を印加するには、ケース体蓋部に収めた電源給電部に配置した２本の接触子が、各々異極性の接触端子板に接触するとコイルに直流電圧が供給されて本発明の扁平型振動発生モータは動作する。【選択図】  図１
2005199251.tif 000002
【特許請求の範囲】
【請求項１】
底浅で底面が円状の容器を成し底面（２ａ）の中心に回転子（６）が軸として回転するための回転軸（４）と外周壁に給電線（９）を接続するための給電線接続口（２ｂ）を備えたケース体基部（２）と、ケース体基部（２）の内側側壁面（２ｂ）に装着して回転子（６）に磁界を与えるため隣接する磁極が交互に異極となるように６極を着磁して１体化した環状を成す永久磁石（５）と、中心部より外部へ永久磁石（５）の環内に収まる長さに伸長させ先端に鍔部（６ｃ）を設けてコイル（７）を巻き回した金属枠体（６ａ）に対し約１００度となるように配置した金属体（６ｂ）とこの金属体と金属枠体（６ａ）の中心部に磁性体覆部（６ｄ）を設けこの磁性体覆部（６ｄ）の中心に回転軸挿入孔（６ｆ）を備えこの回転軸挿入孔（６ｆ）を囲むように配置した６枚の接触端子板（６ｅ）を１枚おきに交互に結線してコイル（７）と接続した回転子（４）と、接触端子板（６ｅ）と接触してコイル（７）に直流電圧を印加するための接触子（８ｂ）と給電線取付部（８ａ）を備えた電源給電部（８）と、外周壁に給電線を取付けるための給電線取付口（３ｂ）と底面内部に回転軸の先端を受けるための回転軸受孔（３ａ）を備え電源給電部（８）を内部に収めるため底面が円状を成し前記ケース体基部（２）に装着するためのケース体蓋部（３）から成る扁平型振動発生モータ。
【請求項２】
交互に磁極が異なるように着磁した環状の永久磁石（５）の磁極数を４極とし、金属枠体（６ａ）と金属体（６ｂ）の配置角度も約１５０度として、更に、回転軸挿入孔を囲むように配置した接触端子板（６ｅ）も４枚とし、電源給電部（８）に設けた２本の接触子（８ｂａ、８ｂｂ）の配置も請求項１と異なる位置の接触端子板（６ｅａ、６ｅｂ）と接触するように考慮しても、請求項１と同様な作用をすることを特徴とした扁平型振動発生モータ。
【請求項３】
交互に磁極が異なるように着磁した環状の永久磁石（５）の磁極数を８極とし、金属枠体（６ａ）と金属体（６ｂ）の配置角度も約７０度として、更に、回転軸挿入孔を囲むように配置した接触端子板（６ｅ）も８枚とし、更に電源給電部（８）に設けた２本の接触子（８ｂａ、８ｂｂ）の配置も請求項１と異なる位置の接触端子板（６ｅａ、６ｅｂ）と接触するように考慮しても、請求項１と同様な作用をすることを特徴とした扁平型振動発生モータ。
【発明の詳細な説明】
【技術分野】
【０００１】  本発明は、携帯無線電話機のマナーモードに於ける振動発生装置に関するものである。
【背景の技術】
【０００２】  特に公衆が集合する場合に於て、突然携帯無線電話機の着信音が轟鳴することは、周囲の者に著しく不快感を与えるため、この携帯無線電話機に振動発生モータを搭載させることにより、携帯無線電話機本体を振動させて、これを着衣等に所持することにより、所持した者のみに着信があったことを報知する方法が採られている。
【０００３】  現在携帯無線電話機に採用されているこの種の振動発生モータには、シリンダー型と扁平型の２種類があり、前者は比較的に大きな振動が得られる反面、形状が大となり、更に高価となる欠点があるのに対し、後者は、部品点数が少ないことから、小型で簡単でありながら、低価格で容易に振動を得られる特徴があり、本発明は後者に属するものである。
【０００４】  一般的にこの種の扁平型振動発生モータは、ケース体の底面に永久磁石を配置し、コイルは、導線を略扇状に巻き回した空芯コイルとし、これを均等に配置し、更にこの空芯コイルに偏心回転が自在な円盤を密着させて回転子とすることにより、回転子が偏心回転して、その回転時の遠心力によって振動を発生させるものである。
【特許文献１】特許公開２０００−１７７８８４
【特許文献２】特許公開２０００−０６９７３３
【実用新案文献】
実用新案公開平０７−００９０６２
【発明の開示】
【発明が解決しようとする課題】
【０００５】  解決しようとする課題として、更に大きな振動を得るためには、更に大きな円盤及び空芯コイルが必要となるため、部品点数も多くなって製造コストも高騰することから、高価となることも余儀なくされているのが実情である。
【課題を解決しようとする手段】
【０００６】  上記課題を解決するため本発明は、底浅で底面が円状を成す金属容器をケース体基部とし、このケース体基部の底面の中心に、回転子が軸として回転するための回転軸を設け、ケース体基部を更に薄くするため、このケース体基部の内側側壁面に、６個の磁極を交互に異極となるように着磁した環状の永久磁石を配置する。
【０００７】  回転子は、従来技術のような空芯コイルと円盤状のロータは用いず、中心部より配置角度を凡そ１００度となるように２方向に、前記永久磁石の環内に収まる長さとした金属枠体と金属体を用い、金属枠体の先端には、金属枠体を電磁石とするため、コイルを巻き回すための鍔部を設け、ここにコイルを巻き回す。
【０００８】  また、金属枠体と金属体は、２方向に伸長させた一体の磁性体であることから、中心部を絶縁体で覆うため、薄状且つ円柱状を成す磁性体覆部を設け、更にその中心には、回転軸に挿入するための回転軸挿入孔を設け、また、この磁性体覆部の側面には、回転子の回転によってコイルに印加される直流電圧の極性を切り替えるため、扇状を成す接触端子板６枚を回転軸挿入孔を囲むように配置し、この接触端子板に直流電圧が印加されたとき、隣接する接触端子板が異極性とするため、１接触端子板おきに交互に結線して、２組とした接触端子板群にコイルの両端を接続し、これを回転子としている。
【０００９】  コイルに直流電圧を印加する方法は、ケース体蓋部に基板状の電源給電部を装着して、この電源供給部に設けた給電線取付部に給電線を取り付けて、給電線を介して電源給電部に直流電圧を印加すると、電源供給部に設けた２本の接触子にそれぞれ異極性の直流電圧が印加されるため、電源給電部をケース体蓋部に収め、ケース体蓋部をケース体基部に装着しすると、回転子に設けた接触端子板と接触子が接触して、コイルに直流電圧が印加される。
【００１０】  永久磁石と、金属枠体と、回転子に設けた接触端子板と、電源給電部に設けた接触子の関係は、金属枠体の幅の中心が、配置されている永久磁石の磁芯と面対向するとき、コイルに印加されている直流電圧の極性が切り替わって、金属枠体の電磁石の磁極が、例えばＮ極からＳ極に切り替わるようにするため、このときの接触子の位置は、隣接する異極性の接触端子板の境界点と接触するようにしている。
【発明の効果】
【００１１】  本発明の扁平型振動発生モータは、携帯無線電話機という限られたスペースに用いるため、小型で大振動が得られることを要求される中、隣接する磁極が交互に異極なるように６個の磁極を１体化して環状とした永久磁石をケース体の内側側壁部に装着し、回転子は強振動を得るため、金属枠体と金属体を不均衡に約１００度に配置して永久磁石の環内に収まる長さとし、この金属枠体と金属体の中心部に磁性体覆部を設け、更にその中心に回転軸挿入孔を設け、この回転軸挿入孔を囲むように配置した接触端子板６枚を交互に結線して、これを金属枠体に巻き回したコイルと接続しているため、給電線を介して直流電圧が印加されている電源給電部に設けた接触子が接触端子板と接触すると、コイルに直流電圧が印加されて、金属枠体が永久磁石の磁芯に到達すると、コイルに印加されている直流電圧の極性が入れ替わって回転子は回転するため、環状の永久磁石と、金属枠体の１個所のみにコイルを巻き回すことにより、小型でありながら従来技術を凌ぐ振動を得ることが可能となり、部品点数も少なく低価な振動発生モータとすることが出来た。
【００１２】  また、隣接する磁極が交互異極となるように一体化した環状の永久磁石の磁極数を４個とし、回転子に設けて、コイルを巻き回した金属枠体と金属体の配置角度を約１５０度とし、更に回転子に設けた磁性体覆部の側面に配置した接触端子板数も４枚とした場合、及び、１体化した環状の永久磁石の磁極数を８個とし、回転子設けてコイルを巻き回した金属枠体と金属体の角度を約７０度とし、更に回転子に設けた磁性体覆部の側面に配置した接触端子板数も８枚として、回転子の回転によって金属枠体が面対向するとき、金属枠体の磁極が交互に異なるようになり場合であっても、永久磁石の磁極数を６個として一体化し、接触端子板数を６枚とした場合と同様な結果が得られた。
【発明を実施するための最良の形態】
【００１３】  底浅で底面が円状を成す金属容器をケース体基部とし、隣接する磁極が交互に異なるように回転子の周辺に配置した６個の永久磁石を１体化して環状とし、これを前記ケース体基部の内側側壁面に収め、回転子は、中心より配置角度を約１００度と、不均衡且つ永久磁石の環内に収まる大きさとした金属枠体と金属体のうち、金属枠体に鍔部を設けてコイルを巻き回し、この金属枠体と金属体の中心部に絶緑体とした磁性体覆部を設け、更にその中心には回転軸挿入孔を設け、この回転軸挿入孔を囲むように６枚接触端子板を配置して、この接触端子板を１枚おきに交互に結線し、２組となった接触端子板群にコイルの両端を接続する。【００１４】  給電線を介してケース体蓋部に収めた電源給電部に直流電圧が供給されると、電源給電部に設けた２本の接触子に異極性の直流電圧が印加されるため、この接触子が前記接触端子板に接触してコイルに直流電圧が印加されるが、ここで注意する点は、金属枠体の幅の中心が、配置されている永久磁石の磁芯に到達したとき、コイルに印加されている直流電圧の極性が入れ替わり、電磁石である金属枠体の磁極も入れ替わるように、接触子が異極性接触板の境目で接触するようにすることである。【００１５】  このようにした結果、本発明の扁平型振動発生モータは、不均衡に配置した金属枠体のと金属体のうち、金属枠体に１個所のみにコイルを巻き回した回転子と、多数の永久磁石を環状として１体化してケース体基部に効率良く配置したため、最少の部品点数でありながら従来技術を凌ぐ十分な振動が得られた。
【実施例１】
【００１６】  図１は、本発明の扁平型振動発生モータ１の実施例１の構成図であり、図２は、本発明の扁平型振動発生モータを中心より切断して左右を見た断面図である。【００１７】  図１に於て、ケース体基部２は、厚さ０．２ｍｍの鉄板を、直径１２ｍｍ、深さ２．５ｍｍとし、底面２ａを円状の金属容器に仕上げ、その底面２ａの中心点に、回転子６が軸として回転するため、太さ１．８ｍｍ、長さ２．８ｍｍの回転軸４を設け、更に、外周部の側壁に給電線接続口２ｃを設ける。【００１８】  ケース体基部２に装着して電源給電部８を収めるためのケース体蓋部３は、厚さ０．２ｍｍの鉄板を、底面が円状で、直径が１１．８ｍｍ、深さ１．０ｍｍの皿状の金属容器に仕上げて、その外周部の側壁に、電源給電部８が給電線を取り付けるための給電線取付口２ｃを、更に、底面に回転軸受孔３ａを設ける。【００１９】  永久磁石５は、図１、図２、図５、図７、図１０に示すとおり、環状の磁性体を、隣接する磁極が交互に異極となるように偶数個（６個）に着磁し、外形は、ケース体基部２の内側側壁面２ｂに装着が可能であり、内径は回転子６が収容が可能な大きさとする。【００２０】  回転子６は、図１、図２に示す通り、厚さ０．２ｍｍの鉄板を加工した金属枠体６ａと金属体６ｂを、配置角が約１００度と不均衡となるように２方向に配置し、永久磁石５の環内に収まる長さに伸長させ、金属枠体６ａの先端には、コイル７を巻き回すための鍔部６ｃを設けて、ここに太さが０．０１ｍｍのポリウレタン被覆を施した導線を３００回程巻き回す。【００２１】  金属枠体６ａと金属体６ｂは、一体化した磁性体であるため、その中心部に絶縁化とするための、直径６ｍｍ、厚さ２．０ｍｍの薄円柱状の磁性体覆部６ｄを設け、更に、その中心に、回転軸４を挿入するための直径１．２ｍｍの回転軸挿入孔６ｆを設け、この回転軸挿入孔６ｆを囲むように扇状の接触端子板６ｅを６枚配置し、更に、回転子６の回転によって金属枠体６ａの幅の中心が、面対向する永久磁石５の磁芯に到達したとき、コイル７に印加されている直流電圧の極性が入れ替わり、電磁石化された金属枠体６ａの磁極も入れ替わるようにするため、接触端子板６ｅを１枚おきに交互に結線して、２組となった接触端子板群６ｅａ、６ｅｂにコイル７の両端を接続する。【００２２】  図１を参照して、コイル７に直流電圧を印加するため、電源給電部８に設けた給電線接続部８ａに給電線９を接続して、電源供給部８をケース体蓋部３に収め、ケース体基部２に装着すると、電源給電部８に設けた２本の接触子８ｂａ、８ｂｂが、それぞれが異なる接触端子板６ｅａ及び６ｅｂと接触して、コイル７に直流電圧が印加される。【００２３】  組立方法は、ケース体基部２の内側側壁面２ｂに環状の永久磁石５を装着し、回転子６に設けた回転軸挿入孔６ｆをケース体基部２の底部２ａに設けたの回転軸４に挿入し、ケース体蓋部３に、既に給電線９が接続されている電源給電部８を装着して、ケース体蓋部３に設けた回転軸受部３ａに回転軸４の先端が挿入されるようにして、ケース体基部２に設けた給電線接続口２ｃとケース体蓋部３に設けた給電線取付口３ｂとを合致させるようにケース体基部２にケース体蓋部３を装着すれば、��発明の扁平型振動発生モータの組立は完成する。【００２４】  では図面を参照してその動作を詳述すると、まず、図５を参照して、本発明の扁平型振動発生モータ１に直流電源が供給されていない状態に於て、ケース体基部２の内側側壁面２ｂに収めた永久磁石５と回転子６との関係は、回転子６に設けた金属枠体６ａの幅の中心が、この金属枠体６ａと面対向する永久磁石５のＮ１磁極の磁芯より時針の逆回転方向に２０度ずれた位置Ｐ０点に、金属体６ｂは、その金属体６ｂと面対向するＳ１磁極より時針の回転方向に２０度ずれた位置のＱ０点で静止するが、これは、金属枠体６ａと金属体６ｂの取付け角度を約１００度としたため、Ｎ１磁極は金属枠体６ａを時針の回転方向に吸引し、Ｓ１磁極が金属体６ｂを時針の反回転方向に吸引するため、その吸引力が打ち消されるＰ０点で金属枠体６ａが、Ｑ０点で金属体６ｂが静止することとなるが、このときの接触端子板６ｅと接触子８ｂの位置関係は、接触子８ｂａは、接触端子板６ｅｂとの境界点から２０度離れた接触端子板６ｅａのａ点に、接触子８ｂｂは、接触端子板６ｅａとの境界より２０度離れた接触端子６ｅｂのｂ点で接触している状態となる。【００２５】  図５、図６を参照して、この状態で電源供給部８の給電線取付部８ａに取り付けた給電線９に直流電源電圧を印加すると、金属枠体６ａに巻き回したコイル７に直流電圧が供給されて、金属枠体６ａ側がＳ極の電磁石に、金属体６ｂがＮ極の電磁石となるように直流電圧が設定してあれば、金属枠体６ａは、面対向するＮ１磁極に吸引されて時針の回転方向に回転始動し、Ｐ０の位置から２０度回転してＮ１磁極の磁芯Ｐ１点に到達したとき、接触端子板６ｅａのａ点に停止していた接触子８ｂａも回転子６の回転に伴って、ａ点から２０度移動して、接触端子板６ｅｂの境界点であるｃ点となり、接触子８ｂｂは、ｂがらｄ点に移動するため、双方の接触端子が境界点を越えたとき、金属枠体６ａ側の磁極が切り替わってＳ極からＮ極の電磁石となり、今度はＮ１の磁極と反発して、更に回転力が加速されることとなる。【００２６】  金属枠体６ｅａ側が、更に３０度時針の回転方向に回転してＰ２点に到達すると、Ｓ１磁極との間の吸引力によって更に回転力が助長され、又々３０度回転してＰ３点に到達すると、Ｓ１磁極の磁芯であるＰ３点に到達するため、このとき接触子８ｂａは、接触端子板６ｅｂと接触端子板６ｅａの境界ｅ点に、接触子８ｂｂ側は、接触端子板６ｅａと接触子６ｅｂの境界ｆ点に到達するため、コイル７に印加される直流電圧が切り替わり、金属枠体はＳ極の電磁石となり、Ｓ１磁極との反発力により時針の回転方向に更に回転力が加速され、この状態を繰り返すこととなる。【００２７】  一方、金属体６ｂ側は、最初電源投入時は、Ｎ極の電磁石となって、Ｓ１磁極に吸引されてＱ０の点から時針の反回転方向のＰ３点方向に回転しようとするが、コイル７が巻き回されている位置より磁路が長いため、磁気抵抗による損失によって、金属枠体６ａが生ずるＳ極の電磁石とＮ１磁極の吸引力より微弱な吸引力となるため、金属枠体６ａ側の吸引力負けて、時針の回転方向に１０度回転したＱ１点でＳ極の電磁石となり、Ｎ２の磁極に吸引されるが、更に３０度過ぎたところでＮ極の電磁石となるため、Ｓ２の磁極に吸引されて時針の回転方向の回転力となって加速されることとなり、以上の状態を繰り返す。
【実施例２】
【００２８】  図７に示す通り、環状の磁性体を、交互に４個が異極となるように着磁した永久磁石５を用い、回転子６に設けた金属枠体６ａと金属体６ｂの取り付け角度を約１５０度とし、また、回転子６に設けた磁性体覆部６ｄの側面に配置した接触端子板６ｅも、図８に示す通り４枚として、図９に示すように接触端子板６ｅを１枚おきに交互に結線して、２組の接触端子板群６ｅａ、６ｅｂをコイル７の両端に接続して、接触子８ｂａと８ｂｂも、図８に示すように、接触端子板６ｅａと６ｅｂに接触させることにより、実施例１の場合と同様な効果が得られる扁平型振動発生モータ１とすることが出来た。
【実施例３】
【００２９】  図１０に示す通り、環状の磁性体を、交互に８が異極となるように着磁した永久磁石５を用い、回転子６に設けた金属枠体６ａと金属体６ｂの取り付け角度を凡そ７０度とし、また、回転子６に設けた磁性体覆部６ｄの側面に配置した接触端子板６ｅも、図１１に示す通り８枚として、図１２に示すように接触端子板６ｅを１枚おきに交互に結線して、２組の接触端子板群６ｅａ、６ｅｂをコイル７の両端に接続して、接触子８ｂａと８ｂｂも図１１に示すように、接触端子板６ｅａと６ｅｂに接触させることにより、実施例１の場合と同様な効果が得られる扁平型振動発生モータ１とすることが出来た。
【産業上の利用可能性】
【００３０】  金属枠体と金属体を不均衡に配置し、この金属枠体１個所のみにコイル巻き回した回転子を、複数個の磁極を１体化した環状の永久磁石の環内に収めた本発明の扁平型振動発生モータは、ケース体内に空芯コイルを整然と配置し、この空芯コイルに偏心用円盤を固着させた従来技術の扁平型振動発生モータの振動と比べても、小型で簡単でありながら、従来技術を凌ぐ振動が得られることから、携帯無線電話機用いても何ら問題はなく、小型で安価な耐久性の良い扁平型振動用モータを提供することが出来る。
【図面の簡単な説明】
【００３１】
【図１】本発明扁平型振動発生モータの実施方法を示した分解図。（実施例１）
【図２】本発明扁平型振動発生モータを中心より切断して左右を見た断面図。（実施例１）
【図３】本発明扁平型振動発生モータの永久磁石と回転子の位置を示した説明図。（実施例１）
【図４】本発明扁平型振動発生モータの回転子に設けた接触端子板の配置と結線方法を示した説明図。（実施例１）
【図５】本発明扁平型振動発生モータの永久磁石と回転子の関係の詳細を示した説明図。（実施例１）
【図６】本発明扁平型振動発生モータの回転子に設けた接触端子板と電源給電部に設けた接触子の位置関係を示した説明図。（実施例１）
【図７】本発明扁平型振動発生モータの永久磁石と回転子の位置関係を示した説明図。（実施例２）
【図８】本発明扁平型振動発生モータの回転子に設けた接触端子板と電源給電部に設けた接触子の位置関係を示した説明図。（実施例２）
【図９】本発明扁平型振動発生モータの回転子に設けた接触端子板の配置と結線方法を示した説明図。（実施例２）
【図１０】本発明扁平型振動発生モータの永久磁石と回転子の位置を示した説明図。（実施例３）
【図１１】本発明扁平型振動発生モータの回転子に設けた接触端子板と電源給電部に設けた接触子の関係を示した説明図。（実施例３）
【図１２】本発明扁平型振動発生モータの回転子に設けた接触端子板の配置と結線方法を示した説明図。（実施例３）
【符号の説明】
【００３２】１      扁平型振動発生モータ
２      ケース体基部
２ａ    ケース体基部底面
２ｂ    内側側壁面（ケース体基部）
２ｃ    給電線接続口
３      ケース体蓋部
３ａ    回転軸受孔
３ｂ    給電線取付口
４      回転軸
５      永久磁石
６      回転子
６ａ    金属枠体
６ｂ    金属体
６ｃ    鍔部
６ｄ    磁性体覆部
６ｅ    接触端子板
６ｅａ  接触端子板（詳述するため、６ｅを６ｅａと６ｅｂに分離）
６ｅｂ  接触端子板（詳述するため、６ｅを６ｅａと６ｅｂに分離）
６ｆ    回転軸挿入孔
７      コイル．
８      電源給電部
８ａ    給電線取付部
８ｂ    接触子
８ｂａ  接触子（詳述のため、８ｂを８ｂａと８ｂｂに分離）
８ｂｂ  接触子（詳述のため、８ｂを８ｂａと８ｂｂに分離）
ａ      接触端子板内における接触子の位置を示した点
ｂ      接触端子板内における接触子の位置を示した点
ｃ      接触端子板内における接触子の位置を示した点
ｄ      接触端子板内における接触子の位置を示した点
ｅ      接触端子板内における接触子の位置を示した点
ｆ      接触端子板内における接触子の位置を示した点
Ｎ      Ｎ磁極の永久磁石
Ｎ１    Ｎ磁極を詳述のためＮ１と表示
Ｎ２    Ｎ磁極を詳述のためＮ２と表示
Ｎ３    Ｎ磁極を詳述のためＮ３と表示
Ｓ      Ｓ磁極の永久磁石
Ｓ１    Ｓ磁極を詳述のためＳ１と表示
Ｓ２    Ｓ磁極を詳述のためＳ２と表示
Ｓ３    Ｓ磁極を詳述のためＳ３と表示
Ｐ０    金属枠体側の位置を示す表示
Ｐ１    金属枠体側の位置を示す表示
Ｐ２    金属枠体側の位置を示す表示
Ｐ３    金属枠体側の位置を示す表示
Ｑ０    金属体側の位置を示す表示
Ｑ１    金属体側の位置を示す表示
Ｑ２    金属体側の位置を示す表示
Ｑ３    金属体側の位置を示す表示
【図１】
2005199251.tif 000003
【図２】
2005199251.tif 000004
【図３】
2005199251.tif 000005
【図４】
2005199251.tif 000006
【図５】
2005199251.tif 000007
【図６】
2005199251.tif 000008
【図７】
2005199251.tif 000009
【図８】
2005199251.tif 000010
【図９】
2005199251.tif 000011
【図１０】
2005199251.tif 000012
【図１１】
2005199251.tif 000013
【図１２】
2005199251.tif 000014